(57)【要約】【課題】表示窓を備え、当該表示窓を通じて表示部が視認される電子機器を保護する保護部材について、表面平滑性が良好で透明性に優れた透明窓部、及び三次元的な複雑形状の装飾部を一体的に備えており、熱可塑性樹脂により簡便かつ低コストで成形することができる電子機器保護部材の製造方法、及び当該製造方法により得られた電子機器保護部材を提供することにある。【解決手段】本発明の電子機器保護部材の製造方法は、透明窓部、及び三次元的形状からなる装飾部を含む電子機器保護部材１を製造するに際し、溶融状態の熱可塑性樹脂３５を金型３１，３２内のキャビティ空間３３に射出充填した後、キャビティ空間３３を圧縮賦形する射出圧縮成形方法により、装飾部の平均厚さが、透明窓部の平均厚さより薄くなるようにして、熱可塑性樹脂３５により透明窓部と装飾部を一体的に成形して電子機器保護部材１を得る。【選択図】図７
2006230489.tif 000002
【特許請求の範囲】
【請求項１】
透明な表示窓を前面に備え、当該表示窓を通して表示部が視認される電子機器における前記表示窓の前方に対して前記表示部を臨むように配置される電子機器保護部材の製造方法であって、
前記電子機器保護部材は、前記表示窓の前面側に対向して配設される透明窓部と、三次元的形状を有し、前記透明窓部の周囲の少なくとも一部に連続して形成される装飾部を含み、
溶融状態の熱可塑性樹脂を金型内のキャビティ空間に射出充填した後、前記キャビティ空間を圧縮賦形する射出圧縮成形方法により、
前記装飾部の平均厚さが、前記透明窓部の平均厚さより薄くなるようにして、熱可塑性樹脂により前記透明窓部と前記装飾部を一体的に成形することを特徴とする電子機器保護部材の製造方法。
【請求項２】
請求項１に記載の電子機器保護部材の製造方法において、
前記電子機器が、表示部として遊技盤を備えた遊技機であることを特徴とする電子機器保護部材の製造方法。
【請求項３】
請求項１または請求項２に記載の電子機器保護部材の製造方法において、
前記装飾部の平均厚さが、前記透明窓部の平均厚さの５０〜９５％となるように成形することを特徴とする電子機器保護部材の製造方法。
【請求項４】
請求項１ないし請求項３のいずれかに記載の電子機器保護部材の製造方法において、
前記圧縮賦形が前記金型内部に配設された圧縮コアをキャビティ空間の方向に移動して行われることを特徴とする電子機器保護部材の製造方法。
【請求項５】
請求項１ないし請求項４のいずれかに記載の製造方法により得られたことを特徴とする電子機器保護部材。
【請求項６】
請求項５に記載の電子機器保護部材において、
前記透明窓部表面の平均平面粗さが５μｍ以下であることを特徴とする電子機器保護部材。
【請求項７】
請求項５または請求項６に記載の電子機器保護部材において、
前記電子機器の表示部と対向する面における前記透明窓部の周縁に凸リブを形成することを特徴とする電子機器保護部材。
【請求項８】
請求項５ないし請求項７のいずれかに記載の電子機器保護部材において、
前記電子機器の表示部と対向する面における前記透明窓部と前記装飾部の境界付近から前記装飾部にわたって複数の凸凹が形成されていることを特徴とする電子機器保護部材。
【発明の詳細な説明】
【技術分野】
【０００１】
本発明は、表示窓を備え、当該表示窓を通じて表示部が視認される電子機器の前記表示窓の前方に前記電子機器を臨むように配置される電子機器保護部材の製造方法、及び当該製造方法により得られた電子機器保護部材に関する。
【背景技術】
【０００２】
パチンコ、パチスロや各種アーケードゲームなどに代表されるいわゆる遊技機は、近年にあっては、遊技内容の面白さに加えて、遊技者を魅了するような装飾性を持たせることも商品性能を上げる重要な要素の一つとなっている。また、近年にあっては、自動販売機についても、購買意欲を増すためにゲーム性、アトラクション性を備える要望が多く、その際にあっては、装飾性は需要者を魅了する要素の欠かせない一つとなっている。
【０００３】
一方、前記したパチンコ、パチスロ、各アーケードゲーム等の遊技機や自動販売機等の電子機器は、遊技、ゲーム、商品を需要者に示すための表示部（遊技機にあっては遊技盤など）、及びこの表示部を視認可能とする透明な表示窓を有することが必須となり、この表示窓の透明感が商品の魅力を向上させる要因の一つとなっていた。
また、この表示窓は一般に透明ガラスが使われることが多かったが、このように透明窓部をガラス板で製造した場合にあっては、遊技者と接触して破壊、破損の危険性があり、防犯や不正防止の観点から、表示窓の透明ガラスによる仕切りを残しつつも、このガラス製の表示窓を合成樹脂で保護して欲しいとの要請があった。
【０００４】
このような背景から、表示窓を含めた電子機器の保護を前提にしつつ、趣向性や装飾性等を高めるため、遊技機や自動販売機等の電子機器の表示部となる表示窓の前方に対して、表示部を臨むように配置される透明窓部と、この透明窓部の周囲に形成される、複数の凹凸、曲面形状、波形状などの三次元的な形状からなる複雑な装飾的形状を備えた装飾部を有する保護枠（保護部材）を配設することが広く行われている。この保護部材としては、透明性に優れたポリカーボネート樹脂やアクリル樹脂などの熱可塑性樹脂で構成された透明窓部の保護部材が流通されるようになっている。また、透明窓部の周囲に形成される装飾部についても、熱可塑性樹脂により構成されることにより、より多様かつ複雑な形状とすることが可能となり、装飾性の向上に繋がっていた。
【０００５】
これら透明窓部と装飾部は、あらかじめ別々に成形した後、両者を組み合わせて遊技機用保護枠としていた一方（例えば、特許文献１）、透明窓部と装飾部を一体化して一工程で製造することができれば、成形工程数の低減や流通性等の点から好ましかった。一方、このような異なる形状を一体化して製造するには、射出成形方法により行われることが一般的であり、当該成形方法を採用して両者を一体化成形する検討がなされていた（例えば、特許文献２及び特許文献３参照）。
【０００６】
【特許文献１】特開平１０−２１６３２０号公報
【特許文献２】特開平１１−１９３０７号公報
【特許文献３】特開２０００−１７６１２２号公報
【発明の開示】
【発明が解決しようとする課題】
【０００７】
ここで、一体化された保護部材においては、透明窓部の表面平滑性が重要である。すなわち、表面平滑性を良好にすることにより透明性が増すとともに、光沢性も優れたものとなり、機能面に加えて装飾面も向上して商品価値が高まる。また、装飾部についても、凹凸や曲面形状、波形状といった三次元的な複雑な形状を形成させるべく、樹脂を成形金型内で良好に流動させる成形方法を採用する必要があった。
【０００８】
一方、前記した特許文献に開示されるように、射出成形方法により透明窓部と装飾部を備えた保護部材を一体成形した場合にあっては、例えば金型を鏡面加工しても保圧が不十分なために、金型からの転写性が不十分となり、透明窓部の表面平滑性を十分なものとすることができず、また、装飾部にあっても、形状が複雑であるため白濁部が生じる等、成形される一体化された保護部材の製品品質に問題があった。
更には、一体化された保護部材は成形品としては比較的大型な部類に属するため、熱可塑性樹脂を使用した場合にあっては非常に大きな樹脂充填圧力が必要とされ、射出成形を採用すると生産性が悪く、かつ、コスト高にもなるため、改善が求められていた。
【０００９】
従って、本発明の目的は、表示窓を備え、当該表示窓を通じて表示部が視認される電子機器を保護する保護部材について、表面平滑性が良好で透明性に優れた透明窓部、及び三次元的な複雑形状の装飾部を一体的に備えており、熱可塑性樹脂により簡便かつ低コストで成形することができる電子機器保護部材の製造方法、及び当該製造方法により得られた電子機器保護部材を提供することにある。
【課題を解決するための手段】
【００１０】
前記した目的を達するために、本発明の電子機器保護部材の製造方法は、透明な表示窓を前面に備え、当該表示窓を通して表示部が視認される電子機器における前記表示窓の前方に対して前記表示部を臨むように配置される電子機器保護部材の製造方法であって、前記電子機器保護部材は、前記表示窓の前面側に対向して配設される透明窓部と、三次元的形状を有し、前記透明窓部の周囲の少なくとも一部に連続して形成される装飾部を含み、溶融状態の熱可塑性樹脂を金型内のキャビティ空間に射出充填した後、前記キャビティ空間を圧縮賦形する射出圧縮成形方法により、前記装飾部の平均厚さが、前記透明窓部の平均厚さより薄くなるようにして、熱可塑性樹脂により前記透明窓部と前記装飾部を一体的に成形することを特徴とする。
【００１１】
この本発明の製造方法は、透明窓部及び三次元的形状を有する装飾部を含む電子機器保護部材を、射出圧縮成形方法を採用して熱可塑性樹脂により一体化して成形するようにしているので、透明窓部を効率よく圧縮賦形させることができるため、透明窓部の平滑性が良好となり、透明性、光沢性に優れた透明窓部を備えた電子機器保護部材となる。また、成形方法として射出圧縮成形方法を適用することにより、射出成形方法と比較して透明窓部における残留歪みを低減させることができる。
更には、電子機器保護部材を構成する三次元形状を有する装飾部の平均厚さを、透明窓部の平均厚さより薄くなるように射出圧縮成形を実施することにより、透明窓部の透明性、表面平滑性及び表面光沢性を優れた状態で維持したまま、複雑な形状の装飾部に対する空気の巻き込みを防止することができる。
よって、当該装飾部の白濁化をなくすことができ、装飾性も良好で、製品品質の高い電子機器保護部材を好適に提供することができる。
【００１２】
なお、本発明の製造方法で得ることができる電子機器保護部材を適用する保護対象の電子機器としては、例えば、表示部として遊技盤を備えたパチンコ、パチスロ、アーケードゲーム等の遊技機や、自動販売機等が挙げられる。特に、電子機器として、表示部として遊技盤を備えた遊技機に採用することが好ましい。
【００１３】
また、装飾部は、三次元的形状を有するものであれば特に制限はなく、例えば、波形状、曲面形状、凹凸形状等の三次元的形状を有するものであればその具体的な形状は任意である。なお、形状は客観的に複雑な形状であればあるほど、その装飾性は高められることになる。
【００１４】
本発明の電子機器保護部材の製造方法は、前記装飾部の平均厚さが、前記透明窓部の平均厚さの５０〜９５％となるように成形することが好ましい。
この本発明によれば、電子機器保護部材の装飾部の平均厚さが、電子機器保護部材の透明窓部の平均厚さの５０〜９５％となるように成形するようにしているので、装飾部における空気の巻き込みを効率よく防止することができ、前記した効果をより確実に発揮することができる。
【００１５】
本発明の電子機器保護部材の製造方法は、前記圧縮賦形が前記金型内部に配設された圧縮コアをキャビティ空間の方向に移動して行われることが好ましい。
この本発明によれば、圧縮賦形が、金型内部に配設された圧縮コアをキャビティ空間の方向に移動して行われるので、圧縮コアにより、電子機器保護部材を構成する透明窓部を部分的に圧縮賦形することができるので、透明窓部をより一層効率よく圧縮賦形させることができる。
【００１６】
本発明の電子機器保護部材は、前記した本発明の製造方法により得られたことを特徴とする。
この本発明の電子機器保護部材は、前記した製造方法により得られるため、透明窓部の平滑性が良好であり、透明性、光沢性に優れた透明窓部を備え、かつ、装飾部の白濁化もなく、装飾性も良好で、製品品質の高い電子機器保護部材を提供することができる。
【００１７】
本発明の電子機器保護部材は、前記透明窓部表面の平均平面粗さが５μｍ以下であることが好ましい。
この本発明によれば、透明窓部表面の平均平面粗さが５μｍ以下であるので、透明窓部の表面平滑性が良好となり、透明性、表面光沢性に優れた透明窓部を備えた電子機器保護部材を提供可能とする。
【００１８】
本発明の電子機器保護部材は、前記電子機器の表示部と対向する面における前記透明窓部の周縁に凸リブを形成することが好ましい。
この本発明によれば、電子機器保護部材における電子機器の表示部と対向する面における透明窓部の周縁に凸リブを形成するようにしているので、電子機器保護部材が配設される電子機器の表示面の対向面に対して不意に物体が擦れたり接触したりした場合であっても、この凸リブの存在により当該物体と電子機器の表示部と対向する面の透明窓部が直接接触することを抑制することができるため、当該電子機器の表示部と対向する面の透明窓部に傷が付いたり、破損したりすることを好適に防止することができる。
【００１９】
本発明の電子機器保護部材は、前記電子機器の表示部と対向する面における前記透明窓部と前記装飾部の境界付近から前記装飾部にわたって複数の凸凹が形成されていることが好ましい。
この本発明によれば、電子機器保護部材において、電子機器の表示部と対向する面における透明窓部と装飾部の境界付近から装飾部にわたって複数の凸凹（いわゆるシボ）が形成されているので、例えば、表示部が発光状態にあるような場合には、かかる凸凹により光が散乱され、遊技機の使用者（遊技者）に強い印象を植え付けるとともに、表示部とこの保護部材とが一体化されているような雰囲気となる等、装飾効果が一段と高められることになる。
【発明を実施するための最良の形態】
【００２０】
［第１実施形態］
図１〜図７を用いて、本発明の電子機器保護部材の一態様である遊技機保護枠の構成を説明する。
【００２１】
（Ｉ）遊技機保護枠１の構成：
図１は、この遊技機保護枠１と、保護対象とある電子機器である遊技機４との位置関係を示した模式図である。
遊技機保護枠１は、例えば、その前面にガラス製の表示窓４１を備え、当該表示窓４１を通じて表示部となる遊技盤４２が視認方向を図１の矢印方向として視認される遊技機４の前方に配置されるものであり、この遊技盤４２を臨むように配置される透明窓部２と、この透明窓部２の周囲に形成され、三次元形状からなる装飾部５が一体的になって形成されている。
そして、この遊技機保護枠１により、表示窓４１を含めた遊技機４が好適に保護されることになる。
【００２２】
また、図２は、第１実施形態に係る遊技機保護枠１の正面図、図３は遊技機保護枠１を前方から見た斜視図、図４は遊技機保護枠１を後方から見た斜視図、図５（Ａ）（Ｂ）は図２のＶ−Ｖ断面図（図５（Ｃ）はＶ’−Ｖ’断面図）、また、図６（Ａ）（Ｂ）は図２のVI−VI断面図である。
【００２３】
このような遊技機用保護枠１を構成する熱可塑性樹脂としては、透明性に優れた樹脂材料を選択することが好ましく、例えば、アクリル樹脂、ポリカーボネート樹脂、ＣＯＰ（シクロ・オレフィン・ポリマー）等が挙げられる。
【００２４】
遊技盤４２の前方に遊技盤４２を臨むように配置される透明窓部２は、本実施形態にあっては、上部が半円形状を呈する盾形状である態様を示している。透明窓部２は、断面を図５及び図６に示すように平坦状であり、また、周囲を三次元形状からなる装飾部５（後記）に囲まれる。
【００２５】
透明窓部２の平均平面粗さは、５μｍ以下となるようにすることが好ましい。透明窓部２の平均平面粗さを５μｍ以下とすることにより、透明窓部の平滑性が優れたものとなり、透明性、光沢性をより一層向上させた透明窓部２を備えた遊技機保護枠１となる。
ここで、平均平面粗さは、走査型電子顕微鏡等を用いて、ＪＩＳ  Ｂ０６０１に準拠して測定すればよい。
【００２６】
ここで、透明窓部２の平均平面粗さを５μｍ以下とするためには、例えば、表面を鏡面加工した金型を用いて、透明窓部２に当該鏡面を転写するようにして成形したり、また、金型温度を使用する熱可塑性樹脂のＴｇ（ガラス転移温度）付近まで昇温させた状態で溶融状態の熱可塑性樹脂をキャビティ空間に射出充填させ、射出充填、圧縮賦形後、金型を冷却するような手段を採用してもよい。後記するように、本発明は射出圧縮成形方法を用いて遊技機保護枠１を成形するようにしているので、射出成形方法を適用した場合と比較して、表面を鏡面加工した金型を用いた場合等には、その効果を効率よく発揮させることができる。
【００２７】
また、遊技機保護枠１にあっては、遊技機４の遊技盤４２と対向する面（図４に示されるような遊技機保護枠１の後面。この場合、図１に示される遊技機４の外部に現れる面が、遊技機保護枠１の前面となる）における透明窓部２の周縁（図４に示されるＡ）に、凸リブ２１が形成されているようにしてもよい。
ここで、図５（Ａ）は、図２のＶ−Ｖ断面図において、遊技盤４２と対向する面における透明窓部２の周縁に凸リブが形成されていない状態を示しており、図５（Ｂ）は、図２のＶ−Ｖ断面図において凸リブ２１を形成した状態を示している。
同様に、図６（Ａ）は図２のVI−VI断面図において、遊技機４の遊技盤４２と対向する面における透明窓部２の周縁に凸リブが形成されていない状態を示しており、図６（Ｂ）は、図２のVI−VI断面図において、凸リブ２１を形成した状態を示している。
【００２８】
図５（Ｂ）及び図６（Ｂ）に示したように、遊技盤４２と対向する面における透明窓部２の周縁に凸リブ２１を設ければ、遊技機保護枠１の当該遊技盤４２と対向する面に対して不意に物体が接触した場合であっても、この凸リブ２１の存在により当該物体と遊技盤４２と対向する面の透明窓部２が直接接触したり、擦れたりすることを抑制することができ、透明窓部２に傷が付いたり、破損することを防止することができる。
なお、凸リブ２１の高さは、遊技機保護枠１の大きさにより適宜決定すればよいが、概ね２〜１０ｍｍ程度とすればよい。
【００２９】
また、遊技盤４２と対向する面における透明窓部２と装飾部５の境界付近（先述の透明窓部２の周縁Ａ付近）から装飾部５にわたる部分には、複数の凸凹９（シボ９）を形成するようにしてもよい。
図７は、図５（Ａ）の部分拡大図であって、透明窓部２と装飾部５の境界付近から装飾部５にわたる部分に対して、シボ９を形成した態様を示している。このようにしてシボ９を形成することにより、例えば、遊技機４の遊技盤４２が発光状態にあるような場合には、かかるシボ９により光が散乱され、遊技機の使用者（遊技者）に印象を強く植え付け、また、遊技盤と遊技機保護枠とが一体化されているような雰囲気となる等、装飾効果が一段と高められることになる。
なお、シボ９については、図７では、遊技盤４２と対向する面における透明窓部２と装飾部５の境界付近から装飾部５にわたる部分一帯に形成されている例を示しているが、形成位置は、必要とする装飾効果に応じて、当該境界付近から装飾部５にわたる部分の任意の位置に形成するようにすればよい。
【００３０】
一方、透明窓部２の周囲の少なくとも一部に形成される装飾部５は、三次元的形状を有し、本実施形態にあっては、図２〜図６に示すように、透明窓部２の外縁に、凸部５１と、透明窓部２の左斜め上方から右斜め上方の位置に、断面が波形状となる波形状部５２が透明窓部２の周縁に沿って連続的に形成されて装飾部５を形成し、装飾性を備えるようにしている。
また、透明窓部２の上方には、装飾部５として、遊技機の外部に現れる面に向かって突出する突出部５３が形成されている。かかる突出部５３に対しては、別途文字等を記入することにより、装飾性を高めるようにしてもよい。
【００３１】
なお、本実施形態の遊技機保護枠１には、前記した透明窓部２及び装飾部５のほか、図２〜図４に示すように、透明窓部２の下方向に位置するように、上部が開口部６１とされた玉投入部６と、当該玉投入部６の下方に、これも上部が開口部７１とされた払い出し玉受け部７が一体的に形成されている。なお、図５（Ｃ）は、図２のＶ’−Ｖ’断面図であり、玉投入部６の横方向の断面を示している。
【００３２】
玉投入部６は、遊技機に使用される玉（パチンコ玉）を開口部６１から投入するためのものであり、また、払い出し玉受け部７は、払い出された玉（パチンコ玉）が送り込まれ、開口部７１から玉を取り出し可能とする。
また、遊技機保護枠１の下端には、開口されたハンドル挿入部８が形成されており、ここから、遊技機４に玉を発射する操作を行うための図示しない発射ハンドルが挿入されることになる。
【００３３】
（II）遊技機保護枠１の製造方法：
このような透明窓部２と装飾部５等を備えた遊技機保護枠１は、本発明にあっては、溶融状態の熱可塑性樹脂を金型内のキャビティ空間に射出充填した後、キャビティ空間を圧縮賦形する射出圧縮成形方法により、透明窓部２と装飾部５を熱可塑性樹脂により一体的に成形する。
このように、本発明の遊技機保護部材の製造方法は、熱可塑性樹脂により透明窓部２と装飾部５等を射出圧縮成形方法により一体化して成形するようにするので、透明窓部２を効率よく圧縮賦形させることができるとともに、射出成形方法と比較して、透明窓部２における残留歪みを低減させることができる。
【００３４】
図８は、本発明の遊技機保護部材の製造方法（以下、単に「本発明の製造方法」とする場合もある）を実施する射出圧縮成形ユニット３の一態様を示した図であって、（Ａ）は金型３１，３２を開いた状態、（Ｂ）は熱可塑性樹脂３５を射出充填している状態、（Ｃ）は、金型３１，３２を閉じて、熱可塑性樹脂３５を圧縮賦形している状態、を示した模式図である。
【００３５】
図８に示した射出圧縮成形ユニット３を用いて本発明の製造方法を実施するにあっては、図８（Ａ）に示すように、まず、金型３２を後退させた状態として、金型３１，３２の合わせ面を開いた状態としてキャビティ空間３３を形成し、図８（Ｂ）に示すように、このキャビティ空間３３に対して、図示しない射出ユニットから、ゲート３７を介して熱可塑性樹脂３５を射出充填する（射出充填工程）。
【００３６】
そして、所定量の熱可塑性樹脂３５の射出充填が完了したら、図８（Ｃ）に示すように、金型３２を進行させた状態として、金型３１，３２を閉じて型締め力をかけて、充填された熱可塑性樹脂３５を圧縮、賦形するようにして（圧縮賦形工程）、所定形状の遊技機保護枠１を得るようにするようにすればよい。
【００３７】
また、図９は、本発明の製造方法を実施する射出圧縮成形ユニットのもう一つの態様（射出圧縮成形ユニット３ａ）を示した図であり、（Ａ）は圧縮コア３６を開いた状態、（Ｂ）は熱可塑性樹脂３５を射出充填している状態、（Ｃ）は圧縮ユニット３４を進行させることにより圧縮コア３６をキャビティ空間３３方向に移動させ、熱可塑性樹脂３５を圧縮賦形している状態、を示した模式図である。
【００３８】
図９に示した射出圧縮成形ユニット３ａを用いて本発明の製造方法を実施するにあっては、図９（Ａ）に示すように、まず、圧縮ユニット３４を後退させ、圧縮コア３６を開いた状態として、金型３１，３２の合わせ面を開いた状態としてキャビティ空間３３を形成し、図９（Ｂ）に示すように、このキャビティ空間３３に対して、図示しない射出ユニットから、ゲート３７を介して熱可塑性樹脂３５を射出充填する（射出充填工程）。
【００３９】
次に、所定量の熱可塑性樹脂３５の射出充填が完了したら、図９（Ｃ）に示すように、圧縮ユニット３４を進行させて、圧縮コア３６をキャビティ空間３３方向に移動させることにより圧縮コア３６を閉じて型締め力をかけて、充填された熱可塑性樹脂３５を圧縮、賦形するようにして、所定形状の遊技機保護枠１を得るようにする（圧縮賦形工程）。
【００４０】
図９に示した射出圧縮成形ユニット３ａによれば、圧縮賦形が金型３１，３２内部に配設された圧縮コア３６をキャビティ空間３３の方向に移動させることにより行われるが、これによれば、圧縮コア３６により、遊技機保護枠１を構成する透明窓部２を部分的に圧縮賦形することができる。このように、透明窓部２のみを部分的に圧縮賦形することにより、透明窓部２をより一層効率よく圧縮賦形することができる。
【００４１】
そして、図８や図９に示した射出圧縮成形ブロック３，３ａを一例として実施される本発明の製造方法にあっては、成形される遊技機保護枠１の装飾部５の平均厚さが、遊技機保護枠１の透明窓部２の平均厚さより薄くなるようにして実施される。
このように、装飾部５の平均厚さが、透明窓部２の平均厚さより薄くなるようにして射出圧縮成形を実施することにより、透明窓部２の透明性、表面平滑性及び表面光沢性を優れた状態で維持したまま、三次元的な複雑な形状の装飾部５に対する空気の巻き込みを防止することができ、当該装飾部５の白濁化をなくし、製品品質が優れた遊技機保護枠１を提供することができる。
【００４２】
ここで、成形された遊技機保護枠１は、装飾部５の平均厚さが透明窓部２の平均厚さより薄くなるが、これは、例えば任意の数箇所の厚さの平均（平均厚さ）について、装飾部５が透明窓部２より薄くなればよく、部分的に装飾部５の厚さが透明窓部２の厚さより厚くなることも含む概念である。また、金型は、基本的に装飾部５の厚さと透明窓部２の厚さのそれぞれが一定になるようなものを使用することが望ましい。
更には、本発明にあっては、前記したようにシボ９や凸リブ２１といった部位を設ける場合もあるが、これらの部位の形成はあくまでも装飾性等を向上させるための目的であり、
平均厚さの測定についてこれらの部位が形成された部分を含んで測定すると、本発明で想定している平均厚さの概念と外れてしまうことになる。従って、平均厚さの測定は、これらの部位が形成された位置を含まないで実施すればよい。
【００４３】
なお、装飾部５の平均厚さが、透明窓部２の平均厚さより薄くなるようにするためには、例えば、キャビティについて、透明窓部２よりも装飾部５が薄くなるような金型を使用する等により、両者の厚さ関係を調整すればよい。
【００４４】
また、この場合にあっては、遊技機保護枠１の装飾部５の平均厚さが、遊技機保護枠１の透明窓部２の平均厚さの５０〜９５％となるように成形することが好ましく、６５〜９０％となるように成形することが更に好ましい。このように、装飾部５の平均厚さが、透明窓部２の平均厚さの５０〜９５％となるように成形するようにすれば、装飾部５における空気の巻き込みを効率よく防止することができ、前記した効果をより確実に発揮することができる。
【００４５】
なお、本発明の製造方法の射出充填工程及び圧縮賦形工程における成形条件は、遊技機保護枠１の形状や使用する熱可塑性樹脂の種類により適宜決定することができる。
例えば、射出充填工程における金型の合わせ面により形成されるキャビティ空間３３の間隔は、３〜５ｍｍとすることが好ましい。当該間隔をかかる範囲とすることにより、溶融状態の熱可塑性樹脂を好適に射出充填することができるほか、後工程である圧縮賦形工程における圧縮しろとしても適当となり、後工程の圧縮賦形処理が良好に行われることになる。
【００４６】
成形温度（図示しない射出シリンダーの温度）は、使用する熱可塑性樹脂の種類に応じて決定すればよいが、２２０〜２６０℃程度とすればよく、また、金型温度も、使用する熱可塑性樹脂の種類に応じて決定すればよいが、３０〜８０℃程度とすればよい。
そして、射出充填にあっては、射出充填時間は、４〜８秒程度としておけばよい。
【００４７】
また、圧縮賦形工程における圧縮速度は、４〜６ｍｍ／秒程度としておけばよい。圧縮速度をかかる範囲にすることにより、射出充填された熱可塑性樹脂の圧縮賦形を好適に行うことができる。
【００４８】
圧縮賦形工程における圧縮圧力は、６００〜８００トン程度として、また、その際の型締圧力は、前記した圧縮圧力より高い圧力とすればよい。圧縮圧力が６００〜８００トンであれば、圧縮、賦形が十分に行われ、良好な外観の遊技機保護枠１を簡便に得ることができる。
【００４９】
圧縮しろは、０．５〜２．０ｍｍ程度とすればよく、圧縮しろをかかる範囲にすれば、圧縮賦形が効率よく行われることになる。また、冷却時間は、５０〜６０秒程度とすればよい。
【００５０】
なお、圧縮賦形工程の開始は、熱可塑性樹脂の充填完了時であるが、これは、充填が完全に完了した場合のほか、充填が完了する直前ないし直後（例えば、充填完了の０．１〜０．５秒前や完了の０．１〜０．５秒後）に開始するようにしてもよい。
【００５１】
このような本発明の遊技機保護枠の製造方法によれば、熱可塑性樹脂３５により、透明窓部２と、三次元的形状を有する複雑な形状の装飾部５を含む遊技機保護枠１を、射出圧縮成形方法を採用して一体化して成形するようにしているので、透明窓部２を効率よく圧縮賦形させることができ、平滑性が良好となり、透明性、光沢性に優れた透明窓部２を備えた遊技機保護枠１となる。
【００５２】
また、遊技機保護枠１を構成する装飾部５の平均厚さが、透明窓部２の平均厚さより薄くなるようにして射出圧縮成形を実施することにより、透明窓部２の透明性、表面平滑性及び表面光沢性を優れた状態で維持したまま、三次元的な複雑な形状の装飾部５に対する空気の巻き込みを防止することができ、その結果、当該装飾部５の白濁化をなくし、装飾性を備え、製品品質が優れた遊技機保護枠１を簡便かつ低コストで提供することができることとなる。
【００５３】
そして、得られた遊技機保護枠１も、透明窓部２の平滑性が良好であり、透明性、光沢性に優れた透明窓部２を備え、かつ、三次元的形状を有する装飾部５の白濁化もなく、製品品質が非常に優れるため、遊技場（ホール）に配設されるパチンコ、パチスロ、アーケードゲーム等の遊技機に適用される遊技機保護枠１として有利に使用することができる。
【００５４】
［実施形態の変形］
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００５５】
前記した実施形態では、図８に示した射出圧縮成形ユニット３にあっては、金型３１，３２を開いた状態としてあらかじめキャビティ空間３３を形成してから溶融状態の熱可塑性樹脂３５を射出充填するようにした態様を示したが（図８（Ａ），図（Ｂ））、これには限定されず、例えば、金型３１，３２を閉じた状態として溶融状態の熱可塑性樹脂３５を充填し、樹脂の充填圧力により金型３１，３２を開くようにして、キャビティ空間３３が形成されるようにしてもよい。
【００５６】
また、遊技機保護枠１の形状は、図２〜図７に示したものには限定されず、図１０〜図１３に示す遊技機保護枠１ａの形状や、図１４〜図１７に示す遊技機保護枠１ｂの形状を採用し、これらを、本発明の製造方法を用いて、熱可塑性樹脂により一体的に成形するようにしてもよい。
なお、以下の説明では、前記した第１実施形態と同様の構造および同一部材には同一符号を付して、その詳細な説明は省略または簡略化する。
【００５７】
図１０は、遊技機保護部材の他の態様（遊技機保護枠１ａ）を示した平面図であり、図１１は、図１０の遊技機保護枠１ａを前方から見た斜視図である。図１０及び図１１に示した遊技機保護枠１ａは、平面から見て略中央に、前記した第１実施形態と同様に、上部が半円形状を呈する盾形状の透明窓部２が形成されている。
透明窓部２の左斜め上方及び右斜め上方には、段部５４を介して、断面が波形状となる波形状部５２１が連続的に形成され、また、透明窓部２の上方にも、断面が波形状となる波形状部５２２が、段部５４を介して、透明窓部２の周縁に沿って連続的に形成され、装飾部５を構成する。透明窓部２におけるそれ以外の部分には、段部５４を介して、フランジ状の外枠部５６が形成されている。
なお、図１０及び図１１にあっては、図２に示した第１実施形態の遊技機保護枠１とは異なり、透明窓部２の下方向には、玉投入部及び払い出し玉受け部、及びハンドル挿入部は形成されていない。
【００５８】
図１２は図１０のXII−XII断面図、図１３は図１０のXIII−XIII断面図である。図１２に示す図１０のXII−XII断面図のうち、図１２（Ａ）は遊技盤４２（図１参照。以下同）と対向する面における透明窓部２の周縁に凸リブが形成されていない状態を、また、図１２（Ｂ）は、遊技盤４２と対向する面における透明窓部２の周縁に凸リブ２１を形成した状態を示している。
同様に、図１３に示す図１０のXIII−XIII断面図のうち、図１３（Ａ）は遊技盤４２の対向面における透明窓部２の周縁に凸リブが形成されていない状態を、また、図１３（Ｂ）は、遊技盤４２の対向面における透明窓部２の周縁に凸リブ２１を形成した状態を示している。
なお、遊技機保護枠１ａにおいて、遊技盤４２の対向面における透明窓部２の周縁に凸リブ２１が形成した場合の効果については、前記した第１実施形態の遊技機保護枠１と同様であるから、説明を省略する。
【００５９】
また、図１４は、遊技機保護枠のもう一つの態様（遊技機保護枠１ｂ）を示した平面図であり、図１５は、図１４の遊技機保護枠を前方から見た斜視図である。図１４及び図１５に示した遊技機保護枠１ｂは、前記した態様と同様に、上部が半円形状を呈する盾形状の透明窓部２が形成されている。この透明窓部２の下方向には、玉投入部６が形成されている。
【００６０】
透明窓部２の下方向以外の周囲には、段部５４１を介して、断面が波形状となる波形状部５２３が連続的に透明窓部２の周縁に沿って連続的に形成され、装飾部５を構成している。また、透明窓部２の上方向の周囲には、前面方向に延びる略円筒形状の凸状部として上方向の左右隅角に配設される第１凸状部５２４ａと、第１凸状部５２４ａの下方向及び２つの第１凸状部５２４ａの間に形成される第２凸状部５２４ｂが計７つ形成され、装飾部５を構成している。
【００６１】
図１６（Ａ）（Ｂ）は図１４のXVI−XVI断面図（図１６（Ｃ）は、XVI’−XVI’断面図）、図１７（Ａ）（Ｂ）は図１４のXVII−XVII断面図である。
図１６に示す図１４のXVI−XVI断面図のうち、図１６（Ａ）は遊技盤４２と対向する面における透明窓部２の周縁に凸リブが形成されていない状態を、また、図１６（Ｂ）は、遊技盤４２と対向する面における透明窓部２の周縁に凸リブ２１を形成した状態を示している。なお、図１６（Ｃ）は、図１４のXVI’−XVI’断面図であり、玉投入部６及びその周囲（波形状部５２３からなる装飾部５含む）の断面を示している。
同様に、図１７に示す図１４のXVII−XVII断面図のうち、図１７（Ａ）は遊技盤４２と対向する面における透明窓部２の周縁に凸リブが形成されていない状態を、また、図１７（Ｂ）は、遊技盤４２と対向する面における透明窓部２の周縁に凸リブ２１を形成した状態を示している。なお、遊技機保護枠１ｂにおいて、遊技盤４２と対向する面における透明窓部２の周縁に凸リブ２１が形成した場合の効果については、前記した第１実施形態等の遊技機保護枠１，１ａと同様であるから、説明を省略する。
【００６２】
そして、遊技機保護枠は、前記した図１０〜図１３、または図１４〜図１７の態様にも限定されず、透明窓部２と、当該透明窓部２の周囲の少なくとも一部に形成され、三次元的な形状を有する装飾部５を含む形状が一体的に成形されているものであれば、その形状は任意に選定することができる。
【００６３】
なお、前記した実施形態では、電子機器の例として遊技機４を挙げ、この遊技機４の遊技盤４２を臨むように配置される遊技機保護枠について説明したが、電子機器を、例えば自動販売機として、この自動販売機の表示部を臨むようにて配置される自動販売機保護枠を、本発明の製造方法を用いて、熱可塑性樹脂により一体的に成形するようにしてもよい。
なお、以下の説明では、前記した第１実施形態等と同様の構造および同一部材には同一符号を付して、その詳細な説明は省略または簡略化する。
【００６４】
図１８は、自動販売機保護枠１ｄの一態様を示した斜視図である。
自動販売機保護枠１ｄについて、自動販売機１０の図示しない表示部を臨むように配置される略矩形状の透明窓部２は、断面を平坦状として、また、周囲を後記する装飾部５に囲まれている。
透明窓部２と連続して形成される装飾部５は、三次元的形状を有し、本実施形態にあっては、透明窓部２の左右に形成され、平面視で複数の波状の段をもつ第１装飾部５７１と、透明窓部２の上方に張り出して形成される第２装飾部５７２を備える。また、図２〜図６の遊技機保護枠１と同様に、透明窓部２の上方には、装飾部５として、自動販売機１０の外部に現れる面に向かって突出する突出部５３が形成されている。
これら装飾部５の周縁には、枠部５８が形成され、この枠部５８に形成された嵌合孔５８１と、自動販売機１０に形成された図示しない嵌合リブとが嵌合されることにより、自動販売機１０に自動販売機保護枠１ｄが固定される。
【００６５】
図１９は、当該自動販売機保護枠１ｄを備えた自動販売機１０を前方から見た斜視図である。
図１９に示した自動販売機１０は、自動販売機保護枠１ｄの内側に、透明なガラス製の図示しない表示窓を備え、この表示窓を通して内部に存在する図示しない表示部が視認可能とされるものである。
なお、この自動販売機１０の前面には、コイン（硬貨）を投入するためのコイン投入口１１と、コインが返却されるコイン返却口１２と、コインを返却するためのコイン返却レバー１３が取り付けられている。そして、需要者は、コイン投入口１１からコインを投入し、購入希望の商品を選択し、商品受取口１４から商品を受け取ることになる。
なお、自動販売機１０の図示しない表示部では、購買意欲を高めるべく、アトラクション的な表示が常時なされており、かかる表示は、図示しない表示窓、及び自動販売機保護枠１ｄの透明窓部２を介して需要者に視認されることになる。
その他、本発明の実施における具体的な構造及び形状等は、本発明の目的を達成できる範囲で他の構造等としてもよい。
【実施例】
【００６６】
以下、実施例、比較例及び参考例を挙げて、本発明をより具体的に説明するが、本発明は実施例等の内容に何ら限定されるものではない。
【００６７】
［試験例１］
図２〜図６（第１実施形態）の形状の遊技機保護枠１を、構成材料の熱可塑性樹脂としてアクリル樹脂（ＩＲＳ２０４：三菱レイヨン（株）製）を用いて、透明窓部２の平均厚さを３．０ｍｍ、装飾部５の平均厚さを２．５ｍｍ（実施例１）、２．７ｍｍ（実施例２）、３．０ｍｍ（比較例１）、及び３．２ｍｍ（比較例２）となるように、図８に示した形式の射出圧縮成形ユニット３を用いて、下記の条件で射出圧縮成形した場合の不良率を確認し、成形安定性を比較・評価した。結果を表１に示す。
【００６８】
なお、透明窓部２と装飾部５の平均厚さについては、図２の遊技機保護枠１の横方向におけるＸ−Ｙ間（図２の一点破線）について、図２０に示すように、当該Ｘ−Ｙ間の断面における位置イ（透明窓部２の略中央部）付近（３箇所）における厚さの平均を透明窓部２の平均厚さＡとし、また、位置ロ（装飾部５の透明窓部２側の凸部５１）付近（３箇所）における厚さの平均を装飾部５の平均厚さＢとした。
【００６９】
（射出圧縮成形条件）
成形機：  ８５０ｔ  ＭＧＷ（三菱重工業（株）製）
成形温度（射出シリンダ温度）：  ２６０℃
金型温度：  ７０℃
樹脂充填時間：  ６〜８秒
冷却時間：  ９０秒
圧縮しろ：  ２ｍｍ
【００７０】
ここで、不良率とは、成形品（遊技機保護枠１）を１００個成形した場合における、成形時に装飾部５に相当する部分に空気泡を巻き込み、白濁した成形品の割合を示すものである。
【００７１】
（結果）
【表１】
2006230489.tif 000003
【００７２】
表１の結果からわかるように、遊技機保護枠１の透明窓部２の平均厚さに対して装飾部５の平均厚さを薄くするようにして射出圧縮成形した実施例１及び実施例２については、透明窓部２と装飾部５を一体にして成形することができるとともに、不良率も低く、成形安定性が良好であった。
【００７３】
一方、透明窓部２の平均厚さに対して装飾部５の平均厚さを同等にするようにして射出圧縮成形した比較例１、及び装飾部５の平均厚さを厚くするようにして射出圧縮成形した比較例２については、前記した実施例と比較して不良率が高く、特に、装飾部５の平均厚さを厚くするにつれて不良率が高くなった。
【００７４】
また、前記した実施例１と同様に、図２〜図６（第１実施形態）に示される形状の遊技機保護部材を、透明窓部２の平均厚さを３．０ｍｍ、装飾部５の平均厚さを２．５ｍｍとなるように、図８に示した形式の射出圧縮成形ユニット３を用いて本発明の製造方法により射出圧縮成形したところ、得られた遊技機保護枠１の反り変形量は１．０ｍｍと良好であった。
【００７５】
一方、参考例１として、図２〜図６に示される形状の遊技機保護枠１を、透明窓部２の平均厚さを３．０ｍｍ、装飾部５の平均厚さを２．５ｍｍとなるように、下記の条件で射出成形したところ、得られた遊技機保護枠１の反り変形量は１．６ｍｍと、本発明の製造方法で製造した遊技機保護枠１の反り変形量より大きかった。
【００７６】
なお、反り変形量は、図２の遊技機保護枠１の横方向におけるＸ−Ｙ間について確認し、図２１に示すように、Ｘ側の装飾部５及び透明窓部２を略中央まで地面に固定した状態における、Ｙ側の装飾部５の端部が浮き上がった量ｈ（ｍｍ）を指標とした。
【００７７】
（射出成形条件）
成形機：  １３００ｔ  ＭＧ（三菱重工業（株）製）
成形温度（射出シリンダ温度）：  ２６０℃
金型温度：  ８０℃
樹脂充填時間：  ８〜１０秒
冷却時間：  ５０〜６０秒
【００７８】
更に、前記した実施例１で得た遊技機保護枠１における平均平面粗さを、測定機器として、走査型レーザー顕微鏡（ＳＬＭ７００：Ｌａｓｅｒｔｅｃ社製）を用いて、透明窓部２の略中央部１ｃｍ２（１ｃｍ×１ｃｍ）について測定したところ、前者は０．９５９μｍと小さく、表面平滑度が良好であった。なお、参照として、参考例１で得た遊技機保護枠１についても同様に測定したところ、平均平面粗さは１３．３９９μｍであり、実施例１のものより著しく大きかった。
【００７９】
［実施例３］
図２〜図６（第１実施形態）の形状の遊技機保護枠１を、構成材料の熱可塑性樹脂としてポリカーボネート樹脂（タフロン（登録商標）ＩＶ２２００：出光興産（株）製）を用いて、透明窓部２の平均厚さを４．０ｍｍ、装飾部５の平均厚さを３．５ｍｍとなるように、図８に示した形式の射出圧縮成形ユニット３を用いて、本発明の製造方法により、下記の条件で射出圧縮成形して、本発明の遊技機保護枠１を得た。
【００８０】
（射出圧縮成形条件）
成形機：  ８５０ｔ  ＭＧＷ（三菱重工業（株）製）
成形温度（射出シリンダ温度）：  ３００℃
金型温度：  ８０℃
樹脂充填時間：  ６〜８秒
冷却時間：  ４５秒
圧縮しろ：  ６ｍｍ
【００８１】
［参考例２］
図２〜図６の形状の遊技機保護枠１を、構成材料の熱可塑性樹脂としてポリカーボネート樹脂（タフロン（登録商標）ＩＶ２２００：出光興産（株）製）を用いて、透明窓部２の平均厚さを４．０mm、装飾部５の平均厚さを３．５ｍｍとなるように、下記の条件で射出成形して、遊技機保護枠を得た。
【００８２】
（射出成形条件）
成形機：  １３００ｔ  ＭＧ（三菱重工業（株）製）
成形温度（射出シリンダ温度）：  ３００℃
金型温度：  ８０℃
樹脂充填時間：  １０〜１２秒
冷却時間：  ５０秒
【００８３】
前記した実施例３及び参照として参考例２で得られた遊技機保護枠の透明窓部の略中央部を、光の偏光を利用した歪み検査器（ＨＥＩＤＯＮ  ２５Ｗ／新東科学（株）製）を用いて観察した。
【００８４】
歪み検査器による観察結果は、成形体の残留歪みによる光の散乱状態を示すものであり、灰色部が一様に分散される場合には残留歪みが少なく、光の散乱が小さい。
図２２（Ａ）は実施例３の、図２２（Ｂ）は参考例２の観察結果を示した写真である。射出成形により得られた参考例２の観察結果は、図２２（Ｂ）に示すように縞模様が明確に現れており、残留歪みによる光の散乱が大きいものであるが、射出圧縮成形により得られた実施例３の観察結果は、図２１（Ａ）に示すように、縞模様がほとんどなく、灰色部が略一様に分散されていることがわかる。
よって、成形方法として射出圧縮成形方法を適用することにより、射出成形方法と比較して透明窓部における残留歪みを低減することができることが確認できた。
【産業上の利用可能性】
【００８５】
本発明は、遊技場（ホール）に配設されるパチンコ、パチスロ、アーケードゲーム、及び自動販売機等の遊技機に適用される遊技機保護枠の製造方法として有利に使用することができる。
【図面の簡単な説明】
【００８６】
【図１】遊技機保護枠と遊技機の位置関係を示した模式図である。
【図２】本発明の第１実施形態に係る遊技機保護枠の正面図である。
【図３】図２の遊技機保護枠を前方から見た斜視図である。
【図４】図２の遊技機保護枠を後方から見た斜視図である。
【図５】図２のＶ−Ｖ断面図、及びＶ’−Ｖ’断面図である。
【図６】図２のVI−VI断面図である。
【図７】図５（Ａ）の部分断面図である。
【図８】本発明の遊技機保護枠の製造方法を実施する射出圧縮成形ユニットの一態様を示した模式図である。
【図９】本発明の遊技機保護枠の製造方法を実施する射出圧縮成形ユニットの他の態様を示した模式図である。
【図１０】本発明の遊技機保護枠の他の態様を示した正面図である。
【図１１】図１０の遊技機保護枠を前方から見た斜視図である。
【図１２】図１０のXII−XII断面図である。
【図１３】図１０のXIII−XIII断面図である。
【図１４】本発明の遊技機保護枠のもう一つの態様を示した正面図である。
【図１５】図１３の遊技機保護枠を前方から見た斜視図である。
【図１６】図１４のXVI−XVI断面図、及びXVI’−XVI’断面図である。
【図１７】図１４のXVII−XVII断面図である。
【図１８】自動販売機保護枠の一態様を示した斜視図である。
【図１９】図１８の自動販売機保護枠を備えた自動販売機の一態様を前方から見た斜視図である。
【図２０】試験例１について、透明窓部及び装飾部の厚さの測定方法を示した模式図である。
【図２１】反り変形量の測定方法を示した模式図である。
【図２２】実施例３及び参考例２の遊技機保護部材における、偏光レンズによる観察結果を示した写真である。
【符号の説明】
【００８７】
１，１ａ，１ｂ…  遊技機保護部材（電子機器保護部材）
１ｄ…  自動販売機保護部材（電子機器保護部材）
２…  透明窓部
３，３ａ…  射出圧縮成形ユニット
１０…  自動販売機
１１…  コイン投入口
１２…  コイン返却口
１３…  コイン返却レバー
１４…  商品受取部
２１…  凸リブ
３１，３２…  金型
３３…  キャビティ空間部
３４…  圧縮ユニット
３５…  熱可塑性樹脂
３６…  圧縮コア
３７…  ゲート
４…  遊技機（電子機器）
４１…  表示窓
４２…  遊技盤（表示部）
５…  装飾部
５１…  凸部（装飾部）
５２，５２１，５２２，５２３…  波形状部（装飾部）
５２４ａ…  第１凸状部（装飾部）
５２４ｂ…  第２凸状部（装飾部）
５３…  突出部（装飾部）
５４，５４１…  段部
５６…  外枠部
５７１…  第１装飾部
５７２…  第２装飾部
５８…  枠部
６…  玉投入部
６１…  開口部
７…  払い出し玉受け部
７１…  開口部
８…  ハンドル挿入部
９…  凸凹（シボ）
【図１】
2006230489.tif 000004
【図２】
2006230489.tif 000005
【図３】
2006230489.tif 000006
【図４】
2006230489.tif 000007
【図５】
2006230489.tif 000008
【図６】
2006230489.tif 000009
【図７】
2006230489.tif 000010
【図８】
2006230489.tif 000011
【図９】
2006230489.tif 000012
【図１０】
2006230489.tif 000013
【図１１】
2006230489.tif 000014
【図１２】
2006230489.tif 000015
【図１３】
2006230489.tif 000016
【図１４】
2006230489.tif 000017
【図１５】
2006230489.tif 000018
【図１６】
2006230489.tif 000019
【図１７】
2006230489.tif 000020
【図１８】
2006230489.tif 000021
【図１９】
2006230489.tif 000022
【図２０】
2006230489.tif 000023
【図２１】
2006230489.tif 000024
【図２２】
2006230489.tif 000025